(57)【要約】      （修正有）【課題】挿入途中のディスクカートリッジがターンテーブルと衝突するのを防止することのできるディスク駆動装置を提供する。【解決手段】ディスクカートリッジを載置するターンテーブル５を支持するシャーシ１と、ターンテーブル５と干渉することなく、ディスクカートリッジを挿入口から出し入れすることが可能な第１の位置および、ディスクカートリッジの記録ディスクをターンテーブルに載置する第２の位置をとり得るようにシャーシ１に対して回動可能に取り付けられたホルダ２と、ホルダ２の回動にともなって昇降するストッパ部材３０を備え、ホルダ２にディスクカートリッジが不完全に挿入された状態においては、ストッパ部材３０がホルダ２を第２の位置へ移動するのを妨げる構成としたディスク駆動装置。【選択図】図１
2005158201.tif 000002
【特許請求の範囲】
【請求項１】
ディスク状のデータ記録媒体を回転可能な状態で収納するディスクカートリッジに適合したディスク駆動装置であって、
前記データ記録媒体を載置するターンテーブルおよび前記ターンテーブルを回転駆動するモータと、
前記データ記録媒体へのデータの書き込みおよび／または前記データ記録媒体からのデータの読み出しを行うためのヘッドと、
前記モータおよび前記ヘッドを支持するシャーシと、
前記ディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジのデータ記録媒体を前記ターンテーブルに載置する第２の位置をとり得るように前記シャーシに対して回動可能に取り付けられたホルダと、
前記シャーシを支持するボトムフレームと、
前記ボトムフレームと協同することにより、前記ホルダおよび前記シャーシをはさみこむように、前記ボトムフレームに回動可能に取り付けられ、前記ホルダとともに回動するトップフレームと、
前記ホルダの回動にともなって昇降し、前記ホルダに前記ディスクカートリッジが不完全に挿入された状態で、前記ホルダが第２の位置へ移動するのを妨げるストッパ部材と、
を備えたディスク駆動装置。
【請求項２】
ディスク状のデータ記録媒体を回転可能な状態で収納するディスクカートリッジに適合したディスク駆動装置であって、
前記データ記録媒体を載置するターンテーブルおよび前記ターンテーブルを回転駆動するモータと、
前記データ記録媒体へのデータの書き込みおよび／または前記データ記録媒体からのデータの読み出しを行うためのヘッドと、
前記モータおよび前記ヘッドを支持するシャーシと、
前記ディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジのデータ記録媒体を前記ターンテーブルに載置する第２の位置をとり得るように前記シャーシに対して回動可能に取り付けられたホルダと、
前記シャーシを支持するボトムフレームと、
前記ボトムフレームと協同することにより、前記ホルダおよび前記シャーシをはさみこむように、前記ボトムフレームに回動可能に取り付けられ、前記ホルダとともに回動するトップフレームと、
前記ホルダの回動にともなって昇降し、前記ホルダが前記第１の位置と第２の位置との間で移動する途中において、前記挿入口の少なくとも一部を遮るストッパ部材と、
を備えたディスク駆動装置。
【請求項３】
前記ストッパ部材は板形状を有し、前記ホルダが第２の位置にあるとき、前記ホルダの開口部近傍に位置する前記ボトムフレームの前側面に設けられている請求項１または２に記載のディスク駆動装置。
【請求項４】
前記ストッパ部材が上昇する方向に付勢する弾性部材をさらに備え、前記トップフレームは、前記ホルダが前記第１の位置から第２の位置へ移動するように前記ボトムフレームに対して回転させるとき、前記ストッパ部材と接触することにより前記ストッパ部材を下降させる請求項３に記載のディスク駆動装置。
【請求項５】
前記ストッパ部材および前記ボトムフレームの前側面を結合するためのスライド機構をさらに備え、前記スライド機構は、前記ストッパ部材の昇降方向に伸びる第１の部分および前記第１の部分の一端と交わり、水平方向に延びる第２の部分とを有するガイド溝と、ガイド溝に挿入されたガイドピンとを有する請求項１から４のいずれかに記載のディスク駆動装置。
【請求項６】
前記ガイド溝および前記ガイドピンは前記ボトムフレームの前側面および前記ストッパ部材にそれぞれ設けられている請求項５に記載のディスク駆動装置。
【請求項７】
前記トップフレームに設けられた突起部と、前記スライド部材に設けられており、傾斜部を含む切り欠き部とを含むロック機構をさらに備え、前記トップフレームの突起部が、前記傾斜部と当接することにより、前記ガイドピンが前記ガイド溝内を移動するように、前記スライド部材がスライドする請求項６に記載のディスク駆動装置。
【請求項８】
前記ガイド溝は前記第１の部分の他端と交わる第３の部分を有し、前記切り欠き部は傾斜部の一端に設けられた鉤部を有し、前記ガイドピンが前記ガイド溝の第３の部分を移動することによって、前記突起部と鉤部が係合する請求項７に記載のディスク駆動装置。
【請求項９】
前記ホルダが第１の位置にあるとき、前記ホルダの挿入口と、前記ボトムフレームの前側面との間の空間を前記前側面側から遮るように前記ストッパ部材が位置している請求項５に記載のディスク駆動装置。
【発明の詳細な説明】
【技術分野】
【０００１】
本発明はディスクカートリッジのローディング機構を備えたディスク駆動装置に関し、特に、ポータブル機器に用いられるディスク駆動装置に関する。
【背景技術】
【０００２】
ディスク状の情報記録媒体（以下記録ディスクと称する）の中には、MD(ミニディスク)などディスクカートリッジに収納されているものがある。記録ディスクがディスクカートリッジによって保護されるため、このようなタイプの記録ディスクは取り扱いが簡単であり、広く普及している。
【０００３】
このようなディスクカートリッジを装填することが可能なディスク駆動装置は、ディスクカートリッジを装填するためのローディング機構を備えている。ローディング機構によって、ディスクカートリッジを平行移動させたり回転移動させて、記録ディスクをターンテーブルに載置し、記録ディスクに情報を記録したり、記録ディスクに記録された情報を再生する。たとえば、ディスクカートリッジを保持するホルダをディスク駆動装置のふたに設け、手動で機器のふたを開閉することにより、ディスクカートリッジに収納された記録ディスクを所定の位置に装填することができる。こうしたホルダ及びふたは回動操作するローディング機構を構成しており、構造が簡単であり、かつ外形を薄くできるため、特にポータブル機器において広く用いられている。
【０００４】
特許文献１はローディング機構を備えた従来のディスク駆動装置１００を開示している。図１２に示すように、ディスク駆動装置１００はシャーシ１０１、ホルダ１０２およびディスクモータ１０５を備え、ホルダ１０２はシャーシ１０１の回動軸１０１ｂ周りに回動自在に取り付けられている。ディスクカートリッジ１０６をディスク駆動装置１００に装填する場合には、ホルダ１０２をシャーシ１０１から所定の角度だけ回転させ、ホルダ内にディスクカートリッジ１０６に挿入する。このとき、ディスクカートリッジ１０６が位置決めピン１０１ａやディスクモータ１０５のターンテーブル１０５ａと接触しない程度にホルダ１０２の回動角度が定められている。
【０００５】
ディスクカートリッジ１０６には、記録ディスクにアクセスするための開口および開口を覆うシャッタが設けられており、ホルダ１０２にディスクカートリッジ１０６を挿入する際、シャッタが開放される。また、ホルダには引っ張りバネ１０４によって付勢されたスライダ１０３が設けられており、ディスクカートリッジ１０６を挿入する際、引っ張りバネ１０４に抗してスライダ１０３を移動させる。ホルダ１０２内にディスクカートリッジ１０６が挿入されると、スライダ１０３はフック１０３ａに係合する。ディスクカートリッジ１０６の挿入後、ホルダ１０２を回動軸１０１ｂの周りに回転させ、ホルダ１０２をもとの位置にまで戻すことによって、開放したディスクカートリッジ１０６の開口内へターンテーブル１０５ａが侵入し、記録ディスクがターンテーブル１０５ａに載置される。また、ヘッドが開口から記録ディスクにアクセスすることができるようになる。これにより、ディスク駆動装置１００は、記録再生可能な状態となる。
【０００６】
ディスクカートリッジ１０６を取り出す場合には、ホルダ１０２を図１２に示す状態まで回転させる。このとき、フック１０３ａとスライダ１０３との係合がはずれるため、スライダ１０３は引っ張りバネ１０４の付勢力を受けて、ディスクカートリッジ１０６を付勢する。これにより、ディスクカートリッジ１０６の一部がホルダ１０２から跳ね上がり、ディスクカートリッジ１０６は容易に取り出すことのできる位置に移動する。
【０００７】
このような手動のローディング機構はローディング動作に動力が不要である。また、ホルダを回動支持するので、平行移動させるために必要なリンク機構等の複雑な構造が不要である。さらに、スロットイン方式のようにディスクカートリッジの昇降スペースを機器内部に必要としないので薄型にできるというメリットがある。このため、特にポータブル機器にはこのような構成のローディング機構を搭載したディスク駆動装置が広く用いられている。
【０００８】
しかしながら、従来のディスク駆動装置では、ホルダ１０２にディスクカートリッジ１０６が完全に挿入されていない状態でも手動でふたを閉じようとすることができる。この時、ディスクカートリッジ１０６のシャッタは完全に開いておらず、また、ディスクカートリッジの開口がターンテーブル１０５ａの真上にも到達していないため、ディスクカートリッジ１０６の底面がターンテーブル１０５ａの上端に衝突し、ディスクカートリッジ１０６およびターンテーブル１０５ａの双方を痛める恐れがあった。
【０００９】
より具体的には、ディスクカートリッジ１０６の底面に傷がつく、シャッタが変形して、摺動負荷が増すことによってシャッタの開閉動作に支障をきたす、ターンテーブル１０５ａに荷重がかかることでターンテーブルの平面度や軸垂直度が狂ってしまい、記録再生性能が悪化、あるいは、記録再生不能となる、スピンドルモーターのスラスト軸受けに荷重がかかりモータを破損するなどの障害が考えられる。
【特許文献１】特開２００２−２６０３２０号公報
【発明の開示】
【発明が解決しようとする課題】
【００１０】
本発明は、このような従来技術の課題を解決するためになされたものであって、簡単な手動のローディング機構を備えるディスク駆動装置でも、挿入途中のディスクカートリッジとターンテーブルとが衝突するのを防止し、信頼性の高いディスク駆動装置を提供することを目的とする。
【課題を解決するための手段】
【００１１】
本発明のディスク駆動装置は、ディスク状のデータ記録媒体を回転可能な状態で収納するディスクカートリッジに適合している。ディスク駆動装置は、前記データ記録媒体を載置するターンテーブルおよび前記ターンテーブルを回転駆動するモータと、前記データ記録媒体へのデータの書き込みおよび／または前記データ記録媒体からのデータの読み出しを行うためのヘッドと、前記モータおよび前記ヘッドを支持するシャーシと、前記ディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジのデータ記録媒体を前記ターンテーブルに載置する第２の位置をとり得るように前記シャーシに対して回動可能に取り付けられたホルダと、前記シャーシを支持するボトムフレームと、前記ボトムフレームと協同することにより、前記ホルダおよび前記シャーシをはさみこむように、前記ボトムフレームに回動可能に取り付けられ、前記ホルダとともに回動するトップフレームと、前記ホルダの回動にともなって昇降し、前記ホルダに前記ディスクカートリッジが不完全に挿入された状態で、前記ホルダが第２の位置へ移動するのを妨げるストッパ部材とを備える。
【００１２】
また、本発明のディスク駆動装置は、前記データ記録媒体を載置するターンテーブルおよび前記ターンテーブルを回転駆動するモータと、前記データ記録媒体へのデータの書き込みおよび／または前記データ記録媒体からのデータの読み出しを行うためのヘッドと、前記モータおよび前記ヘッドを支持するシャーシと、前記ディスクカートリッジを挿入する挿入口、および、前記ディスクカートリッジを保持する空間を有するホルダであって、前記ターンテーブルと干渉することなく、前記ディスクカートリッジを前記挿入口から出し入れすることが可能な第１の位置、および、前記空間に保持されたディスクカートリッジのデータ記録媒体を前記ターンテーブルに載置する第２の位置をとり得るように前記シャーシに対して回動可能に取り付けられたホルダと、前記シャーシを支持するボトムフレームと、前記ボトムフレームと協同することにより、前記ホルダおよび前記シャーシをはさみこむように、前記ボトムフレームに回動可能に取り付けられ、前記ホルダとともに回動するトップフレームと、前記ホルダの回動にともなって昇降し、前記ホルダが前記第１の位置と第２の位置との間で移動する途中において、前記挿入口の少なくとも一部を遮るストッパ部材とを備える。
【００１３】
ある好ましい実施形態において、前記ストッパ部材は板形状を有し、前記ホルダが第２の位置にあるとき、前記ホルダの開口部近傍に位置する前記ボトムフレームの前側面に設けられている。
【００１４】
ある好ましい実施形態において、ディスク駆動装置は、前記ストッパ部材が上昇する方向に付勢する弾性部材をさらに備え、前記トップフレームは、前記ホルダが前記第１の位置から第２の位置へ移動するように前記ボトムフレームに対して回転させるとき、前記ストッパ部材と接触することにより前記ストッパ部材を下降させる。
【００１５】
ある好ましい実施形態において、ディスク駆動装置は、前記ストッパ部材および前記ボトムフレームの前側面を結合するためのスライド機構をさらに備え、前記スライド機構は、前記ストッパ部材の昇降方向に伸びる第１の部分および前記第１の部分の一端と交わり、水平方向に延びる第２の部分とを有するガイド溝と、ガイド溝に挿入されたガイドピンとを有する。
【００１６】
ある好ましい実施形態において、前記ガイド溝および前記ガイドピンは前記ボトムフレームの前側面および前記ストッパ部材にそれぞれ設けられている。
【００１７】
ある好ましい実施形態において、ディスク駆動装置は、前記トップフレームに設けられた突起部と、前記スライド部材に設けられており、傾斜部を含む切り欠き部とを含むロック機構をさらに備え、前記トップフレームの突起部が、前記傾斜部と当接することにより、前記ガイドピンが前記ガイド溝内を移動するように、前記スライド部材がスライドする。
【００１８】
ある好ましい実施形態において、前記ガイド溝は前記第１の部分の他端と交わる第３の部分を有し、前記切り欠き部は傾斜部の一端に設けられた鉤部を有し、前記ガイドピンが前記ガイド溝の第３の部分を移動することによって、前記突起部と鉤部が係合する。
【００１９】
ある好ましい実施形態において、前記ホルダが第１の位置にあるとき、前記ホルダの挿入口と、前記ボトムフレームの前側面との間の空間を前記前側面側から遮るように前記ストッパ部材が位置している。
【発明の効果】
【００２０】
本発明のディスク駆動装置によれば、スライド部材によって、不完全に挿入されたディスクカートリッジがターンテーブルに衝突するのを防止する。また、スライド部材は昇降するため、装置全体の厚さを小さくできる。
【発明を実施するための最良の形態】
【００２１】
以下、図面を参照しながら、本発明のディスク駆動装置の実施形態を説明する。図１は、ディスクカートリッジが挿入可能な状態にあるディスク駆動装置の斜視図を示しており、図２は図１に示すディスク駆動装置からボトムフレーム１０およびトップフレーム２０を取り除いた状態を示す斜視図である。
【００２２】
これらの図に示すように、ディスク駆動装置は、シャーシ１、ホルダ２、ボトムフレーム１０、トップフレーム２０およびストッパ部材３０を備える。
【００２３】
シャーシ１には、ターンテーブル５を回転駆動するためのモータおよびディスクカートリッジに収納されている記録ディスクへのデータの書き込みおよび／または記録ディスクからのデータの読み出しを行うためのヘッドとが支持されている。ヘッドは、記録ディスクの記録方式に適合した方式によって、記録ディスクへのデータの書き込みや記録ディスクからのデータの読み出しを行うことができる。また、ターンテーブル５には記録ディスクが正しく載置されるよう、ディスクカートリッジの位置を定める位置決めピン１ａがシャーシ１に設けられている。
【００２４】
ホルダ２は、ディスクカートリッジを挿入するための挿入口２ｂおよびディスクカートリッジを保持するための空間２ｃを有する。ホルダ２の側面には、スライダ３が設けられており、ばね４によって矢印Ａと逆の方向、つまり、挿入口２ｂからディスクカートリッジを排出する方向に付勢されている。図２に示すように、挿入口２ｂから矢印Ａで示すようにディスクカートリッジを空間２ｃ内へ挿入することにより、スライダ３をばね４に抗して押し込み、ディスクカートリッジがホルダ２に保持される。ディスクカートリッジの挿入が完了すると、スライダ３はホルダ２に対してロックされる。挿入に伴って、ディスクカートリッジのシャッタが開放され、ターンテーブルに記録ディスクを載置し、ヘッドがアクセスするための開口が露出する。
【００２５】
ホルダ２は、回動軸２ａ周りに回転可能なようにシャーシ１に取り付けられている。図１および図２は、挿入口２ｂからホルダ２にディスクカートリッジを出し入れすることのできる位置にホルダ２がある状態を示している。この位置を第１の位置と呼ぶ。この位置では、ターンテーブル５や位置決めピン１ａと干渉することなく、挿入口２ｂからディスクカートリッジを出し入れできる。言い換えれば、ディスクカートリッジがターンテーブルと接触することなくホルダ２に挿入することができる程度に十分ホルダ２が回転上昇している。
【００２６】
ディスクカートリッジをホルダ２に挿入した状態でホルダ２をシャーシ１に接近させてゆくと、ディスクカートリッジ内の記録ディスクがターンテーブル５に載置される位置にホルダ２が移動する。この位置を第２の位置と呼ぶ。この位置において、記録ディスクはモータの駆動力を受けて回転し、ヘッドを用いて、記録ディスクへのデータの書き込みおよび／または記録ディスクからのデータの読み出しをおこなうことができる。
【００２７】
ホルダ２を回転させて、第２の位置から再び第１の位置へ戻すと、スライダ３のロックが外れて、ばね４の弾性によりスライダ３が所定の位置まで戻る。これにより、挿入口２ｂから所定の距離だけディスクカートリッジが排出され、ディスクカートリッジの取り出しが可能となる。
【００２８】
シャーシ１はダンパ８を介してボトムフレーム１０に取り付けられ、支持される。ボトムフレーム１０はシャーシ１を取り囲むような形状を有し、挿入口２ｂと近接した位置に前側面１０ｆを備えている。
【００２９】
トップフレーム２０は、回転軸２０ａの周りに回転可能なように、また、ボトムフレーム１０と協同して、ホルダ２およびシャーシ１を挟み込むように、ボトムフレーム１０に取り付けられる。トップフレーム２０とボトムフレーム１０との間には、ばね４０が設けられており、ボトムフレーム１０に対して開いた状態となる方向にトップフレーム２０を付勢する。また、トップフレーム２０にはトップフレーム２０の回転角度を規制するための角度規制腕２１が設けられている。このため、ばね４０の付勢によって所定の回転角度でトップフレーム２０が開くと、角度規制腕２１がボトムフレーム１０に設けられたストッパ１０ｂと係合して、トップフレーム２０の回転を規制する。
【００３０】
トップフレーム２０は前側面２４およびホルダ吊り下げ腕２２を有する。トップフレーム２０の回転軸２０ａはホルダ２の回転軸２ａに近接しており、トップフレーム２０が開くように回転するとき、ホルダ２はトップフレーム２０のホルダ吊り下げ腕２２によって持ち上げられ、トップフレーム２０にともなって回転する。トップフレーム２０の前側面２４は、回転軸２０ａが近接する面と対向する位置に設けられ、ホルダ２の挿入口２ｂと近接している。
【００３１】
トップフレーム２０とホルダ２との間にはホルダ押さえばね２３が設けられている。ホルダ押さえばね２３は、ホルダ１がトップフレーム１０から遠ざかる方向にホルダ２を付勢しており、図１に示すように、ホルダ２が第１の位置にあるときには、前側面２４からホルダの挿入口２ｂが露出するように、ホルダ吊り下げ腕２２はトップフレーム１０とホルダ２との離間角度を定めている。
【００３２】
ストッパ部材３０は板形状を有し、スライド機構３５によってボトムフレーム１０の前側面１０ｆに結合している。以下において詳細に説明するように、ストッパ部材３０は、ホルダ２が第１の位置と第２の位置との間で移動する途中において、挿入口２ｂの少なくとも一部を覆うようにホルダ２の移動にともなって図１に示す矢印Ｙ方向に昇降する。これによって、ホルダ２にディスクカートリッジが不完全に挿入された状態で、ホルダ２が第２の位置へ移動して、ディスクカートリッジがターンテーブルと接触するのを妨げる。
【００３３】
スライド機構３５は、ストッパ部材３０に設けられたガイドピン３１とボトムフレーム１０の前側面１０ｆに設けられたガイド溝１１を含む。図１に示すようにガイド溝１１は、Ｙ方向に延びる第１の部分である垂直部１１ｂと、垂直部１１ｂの一端交わり、水平方向（Ｘ方向）に延びる第２の部分である上水平部１１ａと、垂直部１１ｂの他端と交わり、水平方向に延びる第３部分である下水平部１１ｃとを含む。本実施形態では、垂直部はＹ方向すなわち、垂直方向に延びているが、垂直方向から１０度以下の角度で傾いていてもよい。ガイドピン３１は、ガイド溝１１に挿入されている。本実施形態では、ガイド溝１１が前側面１０ｆに設けられているが、ガイド溝がストッパ部材３０に設けられ、前側面にガイドピンが設けられていてもよい。ストッパ部材３０は、押し上げばね４２によってＹ方向に付勢され、また、ロックばね４１によってＸ方向に付勢されている。
【００３４】
ディスク駆動装置には、ホルダ２を第２の位置において固定し、記録ディスクへのデータの書き込みおよび／または記録ディスクからのデータの読み出しをおこなうため、トップフレーム２０とボトムフレーム１０とを閉じた状態に保つロック機構を備える。ロック機構はトップフレームの前側面２４に設けられた突起部であるロック爪２５、および、ストッパ部材３０に設けられた切り欠き部３６を含む。ロック爪２５は、前側面２４のボトムフレームの前側面１０ｆと対向する辺の中央近傍に設けられ、ディスク駆動装置の中心側に突出している。
【００３５】
切り欠き部３６は、トップフレーム２０のロック爪２５と対向する辺から内部に向かって形成されている。切り欠き部３６は、ロック爪２５と対向する辺から延びる傾斜部３２および傾斜部３２の端部に設けられる鉤部３３とを有する。トップフレーム２０を閉じてゆくと、トップフレーム２０のロック爪２５はストッパ部材３０の切り欠き部３６内に侵入し、以下において詳細に説明するように、傾斜部３２と当接しながら鉤部３３と係合する。このとき、これによりトップフレーム２０がボトムフレーム１０に対してロックされる。
【００３６】
次に、ストッパ部材３０の動作を説明する。図３から図８は、ディスクカートリッジの挿入口側からディスク駆動装置を見た平面図である。
【００３７】
図３は、トップフレーム２０が開き、ホルダ２が第１の位置にある状態を示している。この状態では、ストッパ部材３０はロック爪２５と当接しておらず、押し上げばね４２によって、Ｙ方向によって押し上げられている。また、ロックばね４１によってＸ方向にも付勢されている。このため、ガイドピン３１はカム溝１１の上水平部１１ａの一端に位置している。この状態では、ストッパ部材３０を−Ｙ方向へ下降させようとしても、ガイドピンがカム溝１１の上水平部１１ａと当接し、ストッパ部材３０を下降させることはできない。
【００３８】
図３に示すように、ホルダ２の挿入口２ｂは、トップフレーム２０の前側面２４およびストッパ部材３０との間に位置しており、完全に露出している。つまり、前側面２４およびストッパ部材３０に遮られていない。このため、挿入口２ｂからホルダ２内へディスクカートリッジ６を挿入することができる。また、誤って、ホルダ２とボトムフレーム１０の前側面１０ｆとの間にディスクカートリッジ６を挿入されることがないよう、ストッパ部材３０は、ホルダ２とボトムフレーム１０の前側面１０ｆとの間に形成される空間を前側面１０ｆ側から遮る。
【００３９】
トップフレーム２０を押し下げると、ホルダ２も押し下げられ、挿入口２ｂの一部がストッパ部材３０によって遮られる。ストッパ部材３０はホルダ２と接触して挿入口２ｂを遮る必要はなく、挿入口２ｂ側から見て、挿入口２ｂの近傍あるいは前方においてストッパ部材３０の一部が挿入口２ｂの前方に張り出しておればよい。トップフレーム２０の降下が進むと、図４に示すように、前側面２４に設けられたロック爪２５が、ボトムフレーム１０の前側面１０ｆに設けられた切り欠き部３６に侵入し、切り欠き部３６の傾斜部３２と当接する。また、前側面２４の一部がストッパ部材３０の一部と重なる。
【００４０】
トップフレーム２０をさらに押し下げると、図５に示すように、ロック爪２５が切り欠き部３６の傾斜部３２を−Ｙ方向に押し下げる。傾斜部３２がＸ方向に対して傾斜しているため、傾斜部３２は−Ｘ方向および−Ｙ方向に力を受ける。しかし、ガイド溝１１の上水平部１１ａはＸ方向に延びているため、−Ｙ方向へは移動できす、−Ｘ方向へのみ移動可能である。このため、ストッパ部材３０は、ロックばね４１の付勢力に抗して−Ｘ方向に移動し、ガイドピン３１がガイド溝１１の上水平部１１aから垂直部１１ｂへ移動する。
【００４１】
トップフレーム２０がさらに押し下げられると、傾斜部３２は同様に−Ｘ方向および−Ｙ方向に力を受ける。しかし、この時点ではガイドピン１１ｂは、垂直部１１ｂへ移動しているため、−Ｘ方向へは移動できす、−Ｙ方向へのみ移動可能である。このため、ストッパ部材３０は、押し上げばね４２の付勢力に抗して−Ｙ方向に移動し、ガイドピン３１がガイド溝１１の垂直部１１ｂを移動する。図６に示すように、ストッパ部材３０の移動によって、ガイドピン３１が垂直部１１ｂの下端であり、下水平部１１ｃの一端まで移動する。また、トップフレーム２０の前側面２４の一部は、ボトムフレーム１０の前側面１０ｆの一部と重なる。
【００４２】
トップフレーム２０がさらに押し下げられると、傾斜部３２は同様に−Ｘ方向および−Ｙ方向に力を受ける。しかし、この時点ではガイドピン１１ｂは、下水平部１１ｃへ移動しているため、−Ｙ方向へは移動できす、−Ｘ方向へのみ移動可能である。このため、ストッパ部材３０は、ロックばね４１の付勢力に抗して−Ｘ方向に移動し、ガイドピン３１がガイド溝１１の下水平部１１ｃを移動する。
【００４３】
図７に示すように、ロック爪２５が傾斜部３２の端部に達したあと、さらに、トップフレーム２０が押し下げられると、ロック爪２５は、図８に示すように、切り欠き部３６の鉤部３３に達する。このとき、ストッパ部材３０はロックばね４１に引かれてわずかにＸ方向に戻り、ロック爪２５が鉤部３３と係合し、トップフレーム２０はボトムフレーム１０に対してロックされる。トップフレーム２０の前側面２４の大部分は、ボトムフレーム１０の前側面１０ｆと重なる。また、ストッパ部材３０は、ボトムフレーム１０の前側面１０ｆとほぼ完全に重なっている。
【００４４】
図８に示すトップフレーム２０がボトムフレーム１０に対してロックされた状態から、オープンレバー３４を−Ｘ方向に動かすと、ストッパ部材３０が−Ｘ方向に移動する。このため、ロック爪２５と鉤部３３との係合がはずれ、オープンばね４０の作用でトップフレーム２０はホルダ２とともに跳ね上がる。オープンレバー３４を開放すれば、ストッパ部材３０はロックばね４１によってＸ方向に引かれ、さらに押し上げばね４２によってＹ方向に持ち上げられて元の上端に戻り、ガイド溝１１の上水平部１１aの端で停止する。つまり、図３に示す状態に戻る。これにより、ホルダ２が第２の位置から第１の位置へ戻る。上述したようにこの途中において、ホルダ２の上方とともにストッパ部材３０も上昇し、ストッパ部材３０の一部がホルダ２の挿入口２ｂを遮った状態を経て、図３に示す状態となる。
【００４５】
次に、ディスクカートリッジの挿入を説明する。図９から図１１は、ディスクカートリッジが挿入された状態を示すディスク駆動装置の側面断面図である。図９および図１０は、ホルダ２にディスクカートリッジが途中まで挿入された状態、および完全に挿入された状態をそれぞれ示している。図１１は、ディスクカートリッジの装填が完了した状態を示している。
【００４６】
図９に示すように、ホルダ２が第１の位置にあり、ホルダ２の挿入口２ｂがトップフレーム２０の前側面２４とストッパ部材３０との間で完全に露出された状態において、ディスクカートリッジ６を挿入口２ｂからホルダ２内へ挿入することができる。第１の位置ではディスクカートリッジ６がターンテーブル５と干渉することはない。図に示す状態では、ディスクカートリッジ６は、ホルダ２内に完全には挿入されておらず、一部分がホルダ２から突出ている。完全に挿入されていないため、シャッタ６ａは完全に開いておらず、また、アクセス窓６bは開放されていない。
【００４７】
この状態は、ディスクカートリッジ６をホルダ２内へ挿入する途中や、装填されたディスクカートリッジ６を排出動作によって排出したときに該当する。また、ディスクカートリッジ６をホルダに対して、逆向きに挿入したり、裏返しの状態で挿入した場合も、ディスクカートリッジ６がホルダ２内に完全に挿入することができず、図９に示ように、一部がホルダ２から突出した状態となる。
【００４８】
このとき、ストッパ部材３０は上昇した位置にあり、ボトムフレーム１０の前側面１０ｆの上端おりも突出している。前述したように、ストッパ部材３０は上から押圧されても垂直下降は出来ないようガイド溝１１によって保持されている。したがって、トップフレーム２０を強く閉じようとしても、前側面２４とストッパ部材３０の間にディスクカートリッジ６が挟まれてホルダ２は下降できない。ディスクカートリッジ６の底面がターンテーブル５に衝突する前にストッパ部材３０に当接するようにストッパ部材３０の高さを設定しているので、ディスクカートリッジ６がターンテーブル５に衝突することはない。また、前側面２４とストッパ部材３０とはともに長いエッジ部分でディスクカートリッジ６と接触するため、ディスクカートリッジ６の一部に大きな負荷が集中することはなく、ディスクカートリッジ６に傷が生じたり、損傷することもない。
【００４９】
図１０は、ホルダ２内にディスクカートリッジ６が完全に挿入された状態を示している。この時、シャッタ６aは完全に開かれてアクセス窓６ｂが露出している。この状態でトップフレーム１０を押し下げることによりホルダ２を下降させると、ディスクカートリッジ６と衝突することなくターンテーブル５はアクセス窓６ｂに挿入される。また、ディスクカートリッジ６を取り出した後、ホルダ２が空の状態になってもホルダ２は障害なく下降し、トップフレーム２０を閉じることができる。
【００５０】
図１１はホルダ２が完全に下降し、ディスク駆動装置内にディスクカートリッジ６が装填された状態を示す。ディスク状記録ディスク７はターンテーブル５に載置されて、記録ディスク７へのデータの記録または記録ディスク７に記録されたデータの再生が可能な状態となっている。トップフレーム２０はボトムフレーム１０に対してロックされ、閉じた状態となっている。ストッパ部材３０は前述したような動作で下降しており、ストッパ部材３０のほぼ全体が、ボトムフレーム１０の前側面１０ｆと重なっている。このため、ディスクカートリッジ６が装填された状態では、ディスク駆動装置の高さは、ボトムフレーム１０の前側面１０ｆの高さにほぼ等しい。図１１において、ディスク駆動装置の外筐体を２点鎖線で示している。ストッパ部材３０が下降しているため、収納されたディスクカートリッジ６の上面とトップフレーム２０や外筐体との間の空間を小さくし、薄型のディスク駆動装置を実現することができる。
【００５１】
このように本実施形態によれば、ストッパ部材がローディングあるいはアンローディングの途中でホルダの挿入口を遮るため、ホルダにカートリッジが不完全に挿入されている場合に、ストッパ部材がディスクカートリッジと当接し、ホルダがさらに回転してディスクカートリッジとターンテーブルなどとが接触するのを防止することができる。また、ホルダへディスクカートリッジを挿入する際、ターンテーブルと接触しないように、ホルダの回転角度を十分に大きくしても、ホルダとボトムフレームの前側面との間に生じる隙間をストップ部材によって遮り、この隙間にディスクカートリッジが挿入されるのを防止したり、ホルダの挿入口にディスクカートリッジを挿入しやすくすることができる。
【００５２】
また、挿入完了後、トップフレームを降下させて、ディスクカートリッジをディスク駆動装置内に装填した状態にする場合には、ストップ部材が下降するため、ディスク駆動装置の厚さを小さくし、薄型の構造を実現することができる。
【００５３】
また、ストッパ部材はトップフレームのロック機能も有するので、従来の構成に比べ部品点数を増加することなく、簡単な構成で上記機能を実現できる。
【００５４】
なお、本実施の形態において、ディスクカートリッジは片面のみにシャッタを持つものを例示したが、ディスクカートリッジは両面にシャッタを有していてもよい。また、フレームやトップフレームは筐体と一体に構成してもよい。また、ストッパ部材にトップフレームのロック機能も併せ持つよう構成したが、別途ロック部材を設けてもよい。
【産業上の利用可能性】
【００５５】
本発明のディスク駆動装置は、ディスクカートリッジを装填するためのローディング機構を備えた種々のディスク駆動装置に適用することが可能であり、特に、ポータブル機器に搭載するディスク駆動装置に好適に用いることができる。
【図面の簡単な説明】
【００５６】
【図１】本発明のディスク駆動装置の実施形態を示す斜視図である。
【図２】図１に示す構造からトップフレームおよびボトムフレームを取り除いた構造を示す斜視図である。
【図３】図１に示すディスク駆動装置において、トップフレームを下降させる途中の一状態を示す平面図である。
【図４】図１に示すディスク駆動装置において、トップフレームを下降させる途中の一状態を示す平面図である。
【図５】図１に示すディスク駆動装置において、トップフレームを下降させる途中の一状態を示す平面図である。
【図６】図１に示すディスク駆動装置において、トップフレームを下降させる途中の一状態を示す平面図である。
【図７】図１に示すディスク駆動装置において、トップフレームを下降させる途中の一状態を示す平面図である。
【図８】図１に示すディスク駆動装置において、トップフレームを下降させる途中の一状態を示す平面図である。
【図９】図１に示すディスク駆動装置において、ディスクカートリッジが途中まで挿入された状態を示す断面図である。
【図１０】図１に示すディスク駆動装置において、ディスクカートリッジが完全に挿入された状態を示す断面図である。
【図１１】図１に示すディスク駆動装置において、ディスクカートリッジが装填された状態を示す断面図である。
【図１２】従来のディスク駆動装置の構造を示す平面図である。
【符号の説明】
【００５７】
１  シャーシ
２  ホルダ
２a  ホルダ回動軸
５  ターンテーブル
６  ディスクカートリッジ
７  記録ディスク
１０  ボトムフレーム
１０ｆ  前側面
１１  ガイド溝
２０  トップフレーム
２０a  トップフレーム回動軸
２４  前側面
２５  ロック爪
３０  ストッパ部材
３１  ガイドピン
３２  傾斜部
３３  鉤部
３４  オープンレバー
３５  スライド機構
３６  切り欠き部
４０  オープンばね
４１  ロックばね
４２  押し上げばね
【図１】
2005158201.tif 000003
【図２】
2005158201.tif 000004
【図３】
2005158201.tif 000005
【図４】
2005158201.tif 000006
【図５】
2005158201.tif 000007
【図６】
2005158201.tif 000008
【図７】
2005158201.tif 000009
【図８】
2005158201.tif 000010
【図９】
2005158201.tif 000011
【図１０】
2005158201.tif 000012
【図１１】
2005158201.tif 000013
【図１２】
2005158201.tif 000014
【手続補正書】
【提出日】平成15年12月9日(2003.12.9)
【手続補正１】
【補正対象書類名】特許請求の範囲
【補正対象項目名】請求項７
【補正方法】変更
【補正の内容】
【請求項７】
前記トップフレームに設けられた突起部と、前記ストッパ部材に設けられており、傾斜部を含む切り欠き部とを含むロック機構をさらに備え、前記トップフレームの突起部が、前記傾斜部と当接することにより、前記ガイドピンが前記ガイド溝内を移動するように、前記ストッパ部材がスライドする請求項６に記載のディスク駆動装置。
【手続補正２】
【補正対象書類名】明細書
【補正対象項目名】００１７
【補正方法】変更
【補正の内容】
【００１７】
ある好ましい実施形態において、ディスク駆動装置は、前記トップフレームに設けられた突起部と、前記ストッパ部材に設けられており、傾斜部を含む切り欠き部とを含むロック機構をさらに備え、前記トップフレームの突起部が、前記傾斜部と当接することにより、前記ガイドピンが前記ガイド溝内を移動するように、前記ストッパ部材がスライドする。
【手続補正３】
【補正対象書類名】明細書
【補正対象項目名】００２０
【補正方法】変更
【補正の内容】
【００２０】
本発明のディスク駆動装置によれば、ストッパ部材によって、不完全に挿入されたディスクカートリッジがターンテーブルに衝突するのを防止する。また、ストッパ部材は昇降するため、装置全体の厚さを小さくできる。
【手続補正４】
【補正対象書類名】明細書
【補正対象項目名】００５１
【補正方法】変更
【補正の内容】
【００５１】
このように本実施形態によれば、ストッパ部材がローディングあるいはアンローディングの途中でホルダの挿入口を遮るため、ホルダにカートリッジが不完全に挿入されている場合に、ストッパ部材がディスクカートリッジと当接し、ホルダがさらに回転してディスクカートリッジとターンテーブルなどとが接触するのを防止することができる。また、ホルダへディスクカートリッジを挿入する際、ターンテーブルと接触しないように、ホルダの回転角度を十分に大きくしても、ホルダとボトムフレームの前側面との間に生じる隙間をストッパ部材によって遮り、この隙間にディスクカートリッジが挿入されるのを防止したり、ホルダの挿入口にディスクカートリッジを挿入しやすくすることができる。
【手続補正５】
【補正対象書類名】明細書
【補正対象項目名】００５２
【補正方法】変更
【補正の内容】
【００５２】
また、挿入完了後、トップフレームを降下させて、ディスクカートリッジをディスク駆動装置内に装填した状態にする場合には、ストッパ部材が下降するため、ディスク駆動装置の厚さを小さくし、薄型の構造を実現することができる。